(57)【要約】      （修正有）【課題】海上に敷設され、装置の保守・点検が、荒天に左右されない波力を連続回転運動に変換する装置を提供する。【解決手段】波の不規則な上下（往復）運動を一定方向へ回転させる連続回転運動変換する装置であって、海面上の浮動体１２と陸地側のラック支持体１をワイヤー１７で釣合を取り、波の振動に合わせて可動に連結するとともに、陸地側のワイヤー１７を回転方向を互いに逆向にして取り付けたラチエット内蔵の２組のピニオンの回転をチェーンを介して出力回転軸に連結したフライフォイルを回転させることを特徴とする。【選択図】図３
0003195135.tif 000002
【実用新案登録請求の範囲】
【請求項１】
波の不規則な上下運動を一定方向へ回転させる連続回転運動に変換する装置であって、海面上の浮動体１２と陸地側のラック支持体１をワイヤー１７で釣合を取り、波の振動に合わせて可動に連結するとともに、陸地側のワイヤー１７を回転方向に互いに逆向にして取り付けたラチエット内蔵の２組のピニオン４，５の回転をチェーン８介して出力回転軸に連結されたフライフォイル１０を回転させることを特徴とする波力を連続回転運動に変換する装置。
【請求項２】
上記ワイヤー１７の一端を海底の基部１４に固縛し、前記ワイヤー１７の他側を上記海面上の浮動体１２に滑車１３を経て、再度、前記基部１４の１５を通したあと、上記陸地側のラック支持体１に前記ワイヤー１７の終端を固縛したことを特徴とする請求項１に記載の波力を連続回転運動に変換する装置。
【考案の詳細な説明】
【技術分野】
【０００１】本考案は、波の不規則な上下（往復）運動を一定方向へ回転させる連続回転運動に変換する装置に関する。【０００２】従来、この種の波力を連続回転運動に変換する装置は、海上に敷設されていた。
【先行技術文献】
【特許文献】
【０００３】
【特許文献１】特開平１１−６４７２号公開公報
【特許文献２】特開２００６−１８９０１８号公開公報
【０００４】
【考案が解決しようとする課題】
【０００５】従来の波力を連続回転運動に変換する装置は、海上に敷設されたので、装置の保守や点検は、荒天に左右されて容易ではなかった。また、波の不規則な上下（往復）運動を一定方向へ回転させる連続回転運動に変換する装置は、構造が複雑となり、建設費も嵩み、保守管理も容易でなかった。
【問題を解決しようとする手段】
【０００６】上記の問題を解決する為に、本考案は、波の不規則な上下（往復）運動を一定方向へ回転させる連続回転運動変換する装置であって、海面上の浮動体１２と陸地側のラック支持体１をワイヤー１７で釣合を取り、波の振動に合わせて可動に連結するとともに、陸地側のワイヤー１７を回転方向に互いに逆向にして取り付けたラチエット内蔵の２組のピニオン４，５の回転をチェーン８介して出力回転軸に連結されたフライフォイル１０を回転させることを特徴とする波力を連続回転運動変換する装置としたので、波の不規則な上下（往復）運動を一定方向へ連続して回転運動へ変換することが出来、装置の保守・点検が、荒天に左右されることもなくなった。更に、ワイヤー１７の一端を海底の基部１４に固縛し、前記ワイヤー１７の他側を上記海面上の浮動体１２に滑車１３を経て、再度、前記基部１４のワイヤガイド１５を通したあと、上記陸地側のラック支持体１に前記ワイヤー１７の終端を固縛した。
【考案の効果】
【０００７】本考案に係る波力を連続回転運動に変換する装置は、上述したように、回転方向に互いに逆向にして取り付けたラチエット内蔵の２組のピニオン４，５を用いたので、駆動用の歯数が減り、簡単な構造で小型化が出来たので、設置面積も小さくなり、建設費も低減出来、保守管理も容易になった。更に、海面上の浮動体に滑車を連結することで、浮動体の上下運動を陸側のワイヤーで２倍の上下（往復）運動へ増幅させることができ、効率良く、波力を連続回転運動に変換することが可能になった。
【図面の簡単な説明】、【０００８】
【図１】本考案に係る一実施例を示すラチエット内蔵の２組のピニオンと、チェーン介して出力回転軸に連結されたフライフォイルを示す装置の正面図である。
【図２】図１を左側から見た左側面図である。
【図３】洋上の浮動体から陸上の回転運動変換装置までの経路図である。
【図４】浮動体に海底の基部を介してワイヤーを取り付けた他実例の説明図である。
【考案を実施するための形態】
【０００９】以下、本考案に係る実施の形態を図面に基づき説明する。
【実施例】
【００１０】図１から図３は本考案に係る一実施例を示し、本実施例では、海面上の浮動体１２と陸地側のラック支持体１をワイヤー１７で釣合を取り、波の振動に合わせて可動に連結するとともに、陸地側のワイヤー１７を回転方向に互いに逆向にして取り付けたラチエット内蔵の２組のピニオン４、５の回転をチェーン８介して出力回転軸に連結されたフライフォイル１０を回転させる波力を連続回転運動に変換する装置で、具体的には、海底の基部１４にワイヤー１７を接続し、海面上の浮動体１２に取り付けた滑車（水中用）１３を経て、再び、基部１４のワイヤガイド１５を通し、陸上の滑車１６を経て、ラック支持体１を釣り上げた。このラック支持体１には、浮動体１２と釣り合わせるため釣合い錘１１を内蔵させた。ラック支持体１が上昇時にピニオン右側５が駆動し、下降時に左側ピニオン４が駆動する。左側ラック２、右側ラック３が上止点、下止点時に回転が途切れないようにフライホイール１０を組み込み回転を滑らかにする、このフライホイール１０より発電機に繋げる。浮動体１２に滑車（水中用）１３をつけることで浮動体１２の上下運動を陸側のワイヤー１７を２倍の上下（往復）運動へ増幅させることができ効率よく左側ピニオン４、右側ピニオン５を回転させることができる。左側ピニオン４、右側ピニオン５を同軸にする左側大ギヤ６、右側大ギャ７が１回転するとフリーハブ９は左側大ギヤ６、右側大ギャ７の歯数が３分の１であれば３倍の回転数となる。又左側ピニオン４、右側ピニオン５の歯数が少ない（左側ピニオン４、右側ピニオン５の径が少ない）物を組み込むと回転数を増すことができる。巨大なうねりや波に晒される海岸では図４に図示すように浮動体１２に取り付けた滑車（水中用）１３を除き、直接、浮動体１２にワイヤー１７を接続し基部１４のワイヤガイド１５を通すことで陸上のラック（ラック支持体）の上下運動を半分にでき荒天に対応できる。
【産業上の利用可能性】
【００１１】本考案は、波力のみならず、各種トレーニング機器等にも使用出来る。
【符号の説明】
【００１２】１    ラック支持体
２    左側ラック
３    右側ラック
４    左側ピニオン
５    右側ピニオン
６    左側大ギャ
７    右側大ギャ
８    チェーン
９    フリーハブ
１０  フライフォイル
１１  釣合い錘
１２  浮動体
１３  滑車（水中用）
１４  基部
１５  ワイヤガイド
１６  滑車
１７  ワイヤー
【図１】
0003195135.tif 000003
【図２】
0003195135.tif 000004
【図３】
0003195135.tif 000005
【図４】
0003195135.tif 000006
【手続補正書】
【提出日】平成26年10月6日(2014.10.6)
【手続補正１】
【補正対象書類名】実用新案登録請求の範囲
【補正対象項目名】全文
【補正方法】変更
【補正の内容】
【実用新案登録請求の範囲】
【請求項１】
波の不規則な上下運動を一定方向へ回転させる連続回転運動に変換する装置であって、海面上の浮動体と陸地側のラック支持体をワイヤーで釣合を取り、波の振動に合わせて可動に連結するとともに、陸地側のワイヤーを回転方向に互いに逆向にして取り付けたラチエット内蔵の２組のピニオンの回転をチェーンを介して出力回転軸に連結されたフライフォイルを回転させることを特徴とする波力を連続回転運動に変換する装置
【請求項２】
上記ワイヤーの一端を海底の基部に固縛し、前記ワイヤーの他側を上記海面上の浮動体に滑車を経て、再度、前記基部のワイヤーガイドを通したあと、上記陸地側のラック支持体に前記ワイヤーの終端を固縛したことを特徴とする請求項１に記載の波力を連続回転運動に変換する装置